(57)【要約】    【課題】  本発明の目的は、濾布の洗浄効果を良くできると共に洗浄作業効率を向上させることができる濾布洗浄装置を提供することにある。    【解決手段】  平行配置された２本のガイドレール２，３の間に網状の濾布トレイ９を配置する。ガイドレール２，３を走行する台車１０に濾布トレイ９の上面に高圧洗浄水を噴射する第１のノズルヘッダー１５と濾布トレイ９の下面に高圧洗浄水を噴射する第２のノズルヘッダー１６を設ける。【選択図】    図２
2006068612.tif 000002
【特許請求の範囲】
【請求項１】
支持脚に支持され平行配置された２本のガイドレールを有する架台と、前記２本のガイドレール間に位置して前記架台に配置され、濾布が載置される網状の濾布トレイと、前記ガイドレールを走行する台車と、前記台車に前記濾布トレイの上側に位置して取付けられ、前記濾布トレイの上面に高圧洗浄水を噴射する第１のノズルヘッダーと、前記台車に前記濾布トレイの下側に位置して取付けられ、前記濾布トレイの下面に高圧洗浄水を噴射する第２のノズルヘッダーとを具備することを特徴とする濾布洗浄装置。
【請求項２】
請求項１において、前記第１と第２のノズルヘッダーは筒状で前記ガイドレールと略直角方向となるように濾布トレイの幅とほぼ同じ長さに延びており,高圧洗浄水を濾布トレイに向けて噴射するノズルを有することを特徴とする濾布洗浄装置。
【請求項３】
請求項１において、前記濾布トレイは台車走行方向に沿って2個配置され、前記台車が前記２個の濾布トレイの外側端の間を往復走行して、洗浄するようにしたことを特徴とする濾布洗浄装置。
【発明の詳細な説明】
【技術分野】
【０００１】
本発明は薬品製造や醸造などの各種分野において固液濾過分離に用いられる濾布を洗浄する濾布洗浄装置に関する。
【背景技術】
【０００２】
良く知られているように、薬品製造や醸造などの各種分野における固液濾過分離には濾布が用いられている。濾布は長時間使用すると固形物が固着し目詰まりして濾過性能が低下する。このため、濾布を洗浄することが必要になる。濾布の洗浄はノズルヘッダーから高圧洗浄水を濾布に噴射して行うようにしている。
【０００３】
従来、濾布の洗浄は濾布を水平配置された網状洗浄台に載置し、網状洗浄台の上面に配置したノズルヘッダーを濾布の長手方向と幅方向に移動させながら高圧洗浄水を濾布に噴射している。このことは、例えば、下記特許文献１に記載されている。また、板状フィルタの上面に配置した直線状のノズルに、直線方向に沿って複数個の噴射孔を設けて洗浄することも、例えば、下記特許文献２に記載されている。
【０００４】
【特許文献１】実開平５−４９００４号明細書
【特許文献２】特開平８−３０９１３１号公報
【発明の開示】
【発明が解決しようとする課題】
【０００５】
従来技術は、濾布に上面から洗浄水を噴射して洗浄しているので、濾布の片面しか洗浄できず洗浄効果が悪く、かつ、両面を洗浄するためには片面を洗浄した後に濾布を裏返しして再度洗浄しなければならず作業効率も悪いという問題点を有している。
【０００６】
本発明の目的は、濾布の洗浄効果を良くできると共に洗浄作業効率を向上させることができる濾布洗浄装置を提供することにある。
【課題を解決するための手段】
【０００７】
本発明の特徴とするところは、平行配置された２本のガイドレール間に網状の濾布トレイを配置し、ガイドレールを走行する台車に濾布トレイの上面に高圧洗浄水を噴射する第１のノズルヘッダーと濾布トレイの下面に高圧洗浄水を噴射する第２のノズルヘッダーを設けたことにある。
【０００８】
換言すると、本発明は網状トレイに載置した濾布の両面に高圧洗浄水を同時に噴射して洗浄するようにしたものである。
【発明の効果】
【０００９】
本発明は網状トレイに載置した濾布の両面に高圧洗浄水を噴射して洗浄するようにしているので濾布の洗浄効果を良くすることができ、また、濾布をトレイに載置するだけであり作業効率を向上させることができる。
【発明を実施するための最良の形態】
【００１０】
架台は支持脚に支持され平行配置された２本のガイドレールを有する。台車はガイドレールを走行する。架台には２本のガイドレール間に位置して網状の濾布トレイが配置される。濾布トレイは台車の走行方向に沿って２個配置される。濾布は２個の濾布トレイにそれぞれ載置される。第１のノズルヘッダーは台車に濾布トレイの上側に位置して取付けられ、濾布の上面に高圧洗浄水を噴射する。また、第２のノズルヘッダーは台車に濾布トレイの下側に位置して取付けられ、濾布の下面に高圧洗浄水を噴射する。第１と第２のノズルヘッダーは円筒形状でガイドレールと略直角方向となるように台車に取付けられ、シャワー状に高圧洗浄水を噴射する。台車は２個の濾布トレイの間を往復走行して洗浄する。
【実施例】
【００１１】
図１〜３に本発明の一実施例を示す。図１は平面図、図２は側面図、図３は台車の一例構成図である。
【００１２】
図１において、架台１は平行配置された２本のガイドレール２、３を有している。ガイドレール２，３の両端は連結板４、５により連結されている。ガイドレール２，３と連結板４、５は矩形状に形成され、四隅をそれぞれ支持脚６で支持されている。ガイドレール２、３の長さは６ｍ程度である。架台１には後述する網状の濾布トレイ９を保持する４枚の保持板８が形成されている。架台１はガイドレール２、３、連結板４、５、４本の支持脚６および保持板８で構成される。
【００１３】
架台１には２本のガイドレール２，３間に位置して網状の濾布トレイ９ａ，９ｂが保持板８の上に配置されている。２個の濾布トレイ９ａ，９ｂは台車１０の走行方向に沿って配置されている。図示を省略したが、濾布は２個の濾布トレイ９ａ，９ｂにそれぞれ載置される。濾布トレイ９は図４に示すようにステンレス鋼線で形成された目の粗い網９１を枠材９２で固定して構成されている。濾布トレイ９は、長さ２６０ｃｍ、幅１３０ｃｍ程度の大きさである。
【００１４】
台車１０に設けた電動機１１の駆動力は、減速機１２で減速しピニオン１３に伝えられる。このピニオン１３はガイドレール2の下面に形成されたラックにかみ合っている。
ピニオン１３が正転若しくは逆転することによって、台車１０が右若しくは左方向へを走行する。
第１のノズルヘッダー１５は台車１０に濾布トレイ９の上側に位置して取付けられ、図３に示すように濾布（図示せず）の上面に高圧洗浄水を噴射する。また、第２のノズルヘッダー１６は台車１０に濾布トレイ９の下側に位置して取付けられ、図３に示すように濾布（図示せず）の下面に高圧洗浄水を噴射する。第1及び第２のノズルヘッダー１５、１６は濾布トレイの面に関して対称の位置に配置され、ノズルヘッダーから噴出される高圧洗浄水が濾布の同じ場所の表と裏とを同時に洗浄するようになっている。濾布表裏において洗浄水の当たる位置にズレがあると濾布が洗浄水の圧力によって波形に変形し、洗浄効果を損なう恐れがあるからである。
【００１５】
第１と第２のノズルヘッダー１５，１６は円筒形状でガイドレール２，３と略直角方向となるように台車１０に取付けられる。ノズルヘッダー１５，１６は図示しない高圧ポンプから高圧ホースを介して供給される高圧洗浄水をシャワー状に噴射する。シャワーの形状は濾布の幅方向に延びた直線状であることが好ましい。
台車１０はノズルヘッダー１５，１６から噴射される高圧洗浄水の飛散を防止するカバー１７で囲われている。下側のカバー１７には、洗浄水及び濾布から洗い流された汚れが内部に溜まらないように透孔が多数設けられている。
【００１６】
この構成において、洗浄すべき濾布を濾布トレイ９ａ，９ｂに１枚ずつ載置する。台車１０を図１の左方向に走行させながらノズルヘッダー１５，１６から高圧洗浄水を噴射させる。濾布トレイ９ａに載置された濾布は上面と下面の両面に高圧洗浄水を受け洗浄される。台車１０がガイドレール２，３の図示左端に至ると図示を省略したリミットスイッチが働き電動機１１を逆転させて台車１０を図示の右方向に走行させる。濾布トレイ９ａに載置された濾布は往きと同様に洗浄され、台車１０の往復走行の間だけ洗浄される。
【００１７】
台車１０が図１の位置に戻り、濾布トレイ９ｂに載置された濾布の洗浄が開始される。
濾布トレイ９ｂ側の濾布が洗浄されている間に、左側の濾布トレイ９ａ上にある洗浄が終わった濾布を取り去り、新に洗浄すべき濾布を載置する。
濾布トレイ９ｂに載置された濾布も両面に高圧洗浄水を受け洗浄される。台車１０がガイドレール２，３の図示右端に移動すると図示を省略したが、リミットスイッチが作動して電動機１１を逆転させて台車１０を図示の左方向に走行させる。濾布トレイ９ｂに載置された濾布は往きと同様に洗浄され、台車１０の往復走行の間だけ洗浄される。
【００１８】
このように、台車１０は２個の濾布トレイ９ａ、９ｂの間を往復走行して濾布を洗浄する。以後、同様なことを繰り返し行い濾布トレイ９ａ、９ｂに載置されている濾布の洗浄を実行する。
【００１９】
このようにして濾布の洗浄を行うのであるが、網状の濾布トレイに載置した濾布の両面に高圧洗浄水を噴射して洗浄するようにしているので濾布の両面を同時に効率良く洗浄することができ、また、作業者は、濾布をトレイに広げて載置するだけであるから、作業者を過酷な作業から開放することができる。更に、架台上に載置した２枚の濾布の一方を洗浄している間に他方の濾布の交換作業を平行して行うので、洗浄時間の短縮が可能となり、その分作業効率を向上させることができる。
【００２０】
さらに、台車は、架台上を左右の往復運動するだけであるから、駆動機構はそれほど複雑になることなく構成できる。
【００２１】
なお、上述の実施例は台車を移動させるようにしているが、台車を固定配置して架台を移動させるようにしても良いことは明らかなことである。
【００２２】
また、上述の実施例はノズル孔噴射角度固定のノズルヘッダーを用いているが、内側と外側の２重ノズルヘッダーにして外側のノズルヘッダーを回転させてノズル孔噴射角度を可変にするノズルヘッダーを用いてもよいことは勿論のことである。
【図面の簡単な説明】
【００２３】
【図１】本発明の一実施例を示す平面図である。
【図２】本発明の一実施例を示す側面図である。
【図３】本発明の台車の一例構成図である。
【図４】本発明の濾布トレイの一例構成図である。
【符号の説明】
【００２４】
１…架台、２、３…ガイドレール、４，５…連結板、６…支持脚、８…保持板、９…濾布トレイ、１０…台車、１１…電動機、１２…減速機、１３…ピニオン、１４…ローラ、１５，１６…ノズルヘッダー、１７…カバー。
【図１】
2006068612.tif 000003
【図２】
2006068612.tif 000004
【図３】
2006068612.tif 000005
【図４】
2006068612.tif 000006